(57)【特許請求の範囲】
【請求項１】
家屋の室内に設置可能な防災シェルターであって、
前記室内の天井に当接する天蓋部と、
複数のピラーと、隣り合う該ピラーの上端同士を接続するパイプと、隣り合う前記ピラーの下端同士を接続するバーとを有するとともに、前記天蓋部を前記パイプ上に載置し、かつ前記天蓋部を前記天井に当接させるように、高さ調節可能な躯体と
を備え、
前記ピラー間が開口し、
前記バーが前記室内の床に当接すると共に前記パイプが前記天蓋部に当接するように前記躯体の高さを調節することにより該天蓋部が前記天井に当接されて前記室内に固定される防災シェルター。
【請求項２】
前記躯体は、水平方向に長さが調節可能である請求項１に記載の防災シェルター。
【請求項３】
前記天蓋部に照明を備える請求項１または２に記載の防災シェルター。
【請求項４】
前記天蓋部の上面には、滑り止め部材が設けられている請求項１〜３のいずれか一項に記載の防災シェルター。
【請求項５】
前記天蓋部の表面には木目調の模様が付され、
前記ピラーは、木目調の模様が付されたカバーで覆われている請求項１〜４のいずれか一項に記載の防災シェルター。
【請求項６】
前記ピラーには、ハンドルが設けられている請求項１〜５のいずれか一項に記載の防災シェルター。
【発明の詳細な説明】
【技術分野】
【０００１】
この発明は防災シェルターに係り、特に地震によって倒壊した家屋から人命の安全を確保するための家庭用防災シェルターに関する。
【背景技術】
【０００２】
１９９５年に発生した阪神・淡路大震災の被害は、死者約６，５００人、負傷者約４５，０００人であり、多くの尊い人命が失われた。死者の多くは古い家屋の一階に住む高齢者であり、崩れてきた屋根の下敷きになったり、下敷きのまま火災が発生して命を落とした人が多かった。今後さらに同規模の大地震が発生するおそれが指摘されており、同規模の被害が発生するおそれが懸念されている。
【０００３】
阪神・淡路大震災のときと同様に、今後発生する大地震において人命が失われる可能性が高いのは、古い家屋に住む人である。特に、１９８１年の基準改正前に建築された木造建物は、被災のおそれが高いものと考えられる。しかしながら、建物の立地条件や所有関係等から、居住者の意思にかかわらず補強の難しい建物が少なくはない。建物全体の補強によらなくても、そのような家屋に居住する人の安全を確保する目的で開発された耐震用シェルターが、特許文献１に記載されている。
【０００４】
この耐震用シェルターは、鋼材で形成された躯体の天井面にパネルを取り付け、躯体の床面に床板を張ると共に、躯体の側面を壁で覆って複数の避難口を設けて構成された構造体からなり、室内居住空間の床に独立して設置するものである。耐震性の低い木造住宅の居住空間にこの耐震用シェルターを設置すれば、大地震が発生したときには避難口から構造体の内部に入り込むことにより、家屋が倒壊しても崩壊した家屋の下敷きになることから逃れることができ、居住者の命と安全が確保される。
【０００５】
【特許文献１】特開２００３−３２８５８４号公報
【発明の開示】
【発明が解決しようとする課題】
【０００６】
しかしながら、この耐震用シェルターは、設置すれば居住者の命と安全の確保がなされるものの、その構造が複雑なため高価であり、かつ設置に時間や労力がかかるといった問題点があった。また、この耐震用シェルターは、躯体の天井面と室内の天井との間に間隔があるため、家屋が倒壊して天井が落下することにより生じる衝撃荷重が耐震用シェルターにかかり、耐震用シェルター自体が押しつぶされてしまう可能性があるといった問題点があった。
【０００７】
この発明は、このような問題点を解決するためになされたもので、安価でかつ設置が簡単な、耐震性の高い防災シェルターを提供することを目的とする。
【課題を解決するための手段】
【０００８】
この発明に係る防災シェルターは、家屋の室内に設置可能な防災シェルターであって、室内の天井に当接する天蓋部と、複数のピラーと、隣り合う該ピラーの上端同士を接続するパイプと、隣り合う前記ピラーの下端同士を接続するバーとを有するとともに、天蓋部を前記パイプ上に載置し、かつ天蓋部を天井に当接させるように、高さ調節可能な躯体とを備え、ピラー間が開口し、前記バーが前記室内の床に当接すると共に前記パイプが前記天蓋部に当接するように前記躯体の高さを調節することにより該天蓋部が前記天井に当接されて前記室内に固定される。
躯体は、水平方向に長さが調節可能であってもよい。
天蓋部に照明を備えてもよい。
天蓋部の上面には、滑り止め部材を設けてもよい。
天蓋部の表面には木目調の模様が付され、ピラーは、木目調の模様が付されたカバーで覆われてもよい。
ピラーには、ハンドルが設けられていてもよい。
【発明の効果】
【０００９】
この発明によれば、防災シェルターは、室内の天井に当接する天蓋部と、複数のピラーを有するとともに天蓋部を載置して天蓋部を天井に当接させるように高さ調節可能な躯体とを備え、ピラー間が開口していることにより、その構造が単純になるので、安価でかつ家屋の室内に簡単に設置することができる。さらに、天蓋部が天井に当接していることにより、家屋が倒壊して天井が落下することにより生じる衝撃荷重が天蓋部に加えられないので、防災シェルターの耐震性を高めることができる。
【発明を実施するための最良の形態】
【００１０】
以下、この発明の実施の形態を添付図面に基づいて説明する。
この発明の実施の形態に係る防災シェルターの斜視図を図１に示す。防災シェルター１は、上下方向に延びる４本のスチール製のピラー７（図２参照）を有する躯体３と、躯体３の上部に載置された天蓋部４とから構成されている。躯体３の内部には、家具の一つであるソファー２が配置されている。天蓋部４は高密度発泡ポリスチレン樹脂からなり、表面に木目調の模様が付されている。また、４本のピラー７は樹脂製のカバー５によって覆われており、カバー５の表面には天蓋部４と同様に木目調の模様が付されている。天蓋部４及びカバー５に付された木目調の模様により、防災シェルター１を室内に設置したときに、室内の景観が損なわれないようになっている。また、防災シェルター１の４つの側面６は、ピラー７間がそれぞれ開口しており、どの側面６からも防災シェルター１の内部に入り込めるようになっている。
【００１１】
図２に示されるように、躯体３は、上述した４本のピラー７と、隣り合うピラー７の上端同士を接続するスチール製の２本のパイプ８及び２本のパイプ１３と、隣り合うピラー７の下端同士を接続するスチール製の２本のバー９及び２本のバー１２とを備えている。２つのパイプ８の中央部分同士を接続するように、中間パイプ１０が設けられている。隣り合うピラー７と、隣り合うピラー７の上端同士を接続するパイプ８及びパイプ１３と、隣り合うピラー７の下端同士を接続するバー９及びバー１２とにより、躯体３には４つの側面６が画定されている。４本のピラー７のそれぞれには、防災シェルター１の内部へ逃げ込んだ人が握るためのハンドル１１が設けられている。
【００１２】
躯体３の上方にある四隅のそれぞれには、パイプ８，１３と一本のピラー７とを接続する上部アジャスター２０ａまたは２０ｂが設けられている。図３に示されるように、上部アジャスター２０ａは、パイプ８を収容する水平パイプ収容部２１と、パイプ１３を収容する水平パイプ収容部２９と、ピラー７を収容する垂直ピラー収容部２２と、水平パイプ収容部２１及び垂直ピラー収容部２２に接するように設けられた略三角形状のブラケット２３ａと、水平パイプ収容部２９及び垂直ピラー収容部２２に接するように設けられた略三角形状のブラケット２３ｂと、水平パイプ収容部２１，２９に接するように設けられた略三角形状のブラケット２４とを備えている。水平パイプ収容部２１には溝２５が設けられており、ボルト２６が溝２５に螺合してボルト２６の軸の底面がパイプ８の円筒状の外周面に当接することにより、摩擦力でパイプ８が水平パイプ収容部２１内に固定されている。水平パイプ収容部２９には図示しない穴が形成されてこの穴にボルト２８が挿入され、ボルト２８の軸の底面がパイプ１３の円筒状の外周面に当接することにより、摩擦力でパイプ１３が水平パイプ収容部２９内に固定されている。上部アジャスター２０ｂは、上部アジャスター２０ａに対して、水平パイプ収容部２１，２９の位置を逆にしたものである。上部アジャスター２０ａ，２０ｂそれぞれにおいて、溝２５内におけるボルト２６の締め付け位置を調整することにより、水平パイプ収容部２１内におけるパイプ８の先端の位置を調整できるようになっている。これにより、上部アジャスター２０ａの水平パイプ収容部２１と上部アジャスター２０ｂの水平パイプ収容部２１との間隔が調節可能となっている。また、垂直ピラー収容部２２には、垂直ピラー収容部２２の内部の空洞に連通する開口部２７が設けられている。
【００１３】
パイプ８と中間パイプ１０とはコネクター３０によって接続されている（図２参照）。図４に示されるように、コネクター３０は、パイプ８を収容してパイプ８の中間部分に固定するための固定部３１と、固定部３１の中央部分から固定部３１に対して垂直に延びるように形成され、中間パイプ１０の一端を収容する中間パイプ収容部３２とを備えている。中間パイプ収容部３２には図示しないねじ穴が設けられており、ボルト３４をこのねじ孔に螺合させると共にボルト３４の軸の端面を中間パイプ１０の表面に当接することにより、中間パイプ１０が中間パイプ収容部３２内に固定されている。
【００１４】
躯体３の下方にある四隅のそれぞれには、バー９とバー１２とピラー７とを接続する下部アジャスター４０ａまたはｂが設けられている（図２参照）。図５に示されるように、バー９は、床に接する水平部９ａと水平部９ａに垂直な垂直部９ｂとからなり、断面がＬ字形状を有している。バー１２も同様に、床に接する水平部１２ａと水平部１２ａに垂直な垂直部１２ｂとからなり、断面がＬ字形状を有している。下部アジャスター４０ａは、ピラー７を収容する垂直ピラー収容部４１と、垂直ピラー収容部４１及びバー９の垂直部９ｂに接するように設けられた略三角形状のブラケット４２ａと、垂直ピラー収容部４１及びバー１２の垂直部１２ｂに接するように設けられた略三角形状のブラケット４２ｂと、バー９の平面部９ａ及びバー１２の平面部１２ｂに接するように設けられた略三角形状のブラケット４３とを備えている。ブラケット４２ａにはボルト４４が貫通するように設けられており、垂直部９ｂに設けられた溝４５にボルト４４を挿入して図示しないナットで締め付けることにより、バー９を下部アジャスター４０に固定している。溝４５におけるボルト４４の位置を調節することにより、バー９に対する下部アジャスター４０ａの位置が調節可能となっている。下部アジャスター４０ｂは、下部アジャスター４０ａに対して、ブラケット４２ａ，４２ｂの位置を逆にしたものである。これにより、下部アジャスター４０ａのブラケット４２ａと下部アジャスター４０ｂのブラケット４２ａとの間隔が調節可能となっている。また、ブラケット４２ａ，４２ｂにはそれぞれ、垂直ピラー収容部４１に隣接する位置に、固定ベルト７３（図８参照）を通す固定穴４６ａ，４６ｂが設けられている。固定ベルト７３によって垂直ピラー収容部４１と図示しない家具の足とを固定することにより、家具は躯体３に固定される。
【００１５】
図３に示されるように、上部アジャスター２０ａの水平パイプ収容部２１と上部アジャスター２０ｂの水平パイプ収容部２１との間隔が調節可能となっており、図５に示されるように、下部アジャスター４０ａのブラケット４２ａと下部アジャスター４０ｂのブラケット４２ａとの間隔が調節可能となっていることにより、躯体３（図２参照）は水平方向に長さが調節可能となっている。
【００１６】
図６に示されるように、ピラー７は、円筒状のパイプ７ａと、パイプ７ａの内部に挿入可能な調節ボルト７ｂとから構成されている。垂直ピラー収容部２２の内部には開口部２７の位置に円盤状の取付部２７ａが設けられている。調節ボルト７ｂは、取付部２７ａに形成された図示しない穴に調節ボルト７ｂを挿入するとともに、調節ボルト７ｂの頭部７ｂ１とナット５３とが取付部２７ａを挟むように設けられ、調節ボルト７ｂの軸部７ｂ２が回転可能になっている。軸部７ｂ２には、円筒状のラバーブシュ５０がワッシャー５１及びナット５２によって取り付けられている。ラバーブシュ５０を取り付けた軸部７ｂ２がパイプ７ａの内部に挿入され、パイプ７ａの下端部７ａ１から調節ボルト７ｂの頭部７ｂ１までが所望の長さになるように、ラバーブシュ５０の位置が調節される。調節ボルト７ｂの軸部７ｂ２を回転させると、軸部７ｂ２とラバーブシュ５０との間の摩擦力によって、ラバーブシュ５０はねじられて周方向に膨張する。これにより、ラバーブシュ５０は軸部７ａ２を締め付けて調節ボルト７ｂを保持すると共にパイプ７ａの内壁にラバーブシュ５０が圧接されてラバーブシュ５０が固定されるので、ピラー７が所望の長さに固定される。このようにして、躯体３（図２参照）は、上下方向に長さが調節可能となっている。
【００１７】
図７に、天蓋部４の構成を示す。尚、図７（ａ）は平面図であり、図７（ｂ）は側面図であり、図７（ｃ）は底面図である。
天蓋部４の上面４ａには、棒状に延びるゴム製の滑り止め部材６０が、互いに平行に８つ設けられている。また、天蓋部４には、上面４ａの４つの辺のそれぞれに接続すると共に上面４ａに対して鋭角をなす斜面部４ｂが設けられている。天蓋部４の裏面には、躯体３のパイプ８，１３及び中間パイプ１０（図２参照）のそれぞれが嵌まる溝６１，６５及び６２が設けられている。溝６２の両側にはそれぞれ、凹状にくぼんだくぼみ部４ｃが設けられている。くぼみ部４ｃのそれぞれには、照明である間接照明６３が設けられている。間接照明６３には、充電式バッテリー６４から電力が供給されるようになっている。
【００１８】
次に、この実施の形態に係る防災シェルターを家屋の室内に設置する方法について説明する。
まず、図８（ａ）に示されるように、家屋の１階の居室において、内部にソファー２を含むように躯体３を床７１上に置く。躯体３の水平方向の長さを調節することにより、ピラー７がソファー２に近接するようにする。ブラケット４２ａ，４２ｂに設けられた固定穴４６ａ，４６ｂ（図５参照）に固定ベルト７３を通し、ソファー２の足と下部アジャスター４０ａ，４０ｂの垂直ピラー収容部４１（図５参照）とを固定ベルト７３でしっかり固定する。次に、図８（ｂ）に示されるように、天蓋部４を躯体３に載置させ、天蓋部４の上面４ａが天井７０に当接するように、ピラー７の長さを調節して固定する。最後に、図８（ｃ）に示されるように、ピラー７にカバー５を取り付ける。このようにして、非常に簡単に防災シェルター１が設置される。また、防災シェルター１は引っ越す際にも持ち運びが簡単である。
【００１９】
次に、地震発生時の防災シェルター１の動作について説明する。地震が発生したら、住居人は、４つの側面６のいずれかから防災シェルター１の内部に入り込む。揺れの継続中は、住居人は防災シェルター１の内部でハンドル１１をしっかり握ることにより、防災シェルター１の外部に放り出されることを免れる。また、家屋が倒壊して天井７０が落下しても、防災シェルター１は、内部の住居人が天井７０によって押しつぶされることを回避する。特に、天蓋部４に天井７０から荷重が加えられて、ピラー７のパイプ７ａ内に固定されたラバーブシュ５０が下方に押されても、ピラー７の下端部７ａ１が下部アジャスター４０ａ，４０ｂの垂直ピラー収容部４１の底部に接していることにより、パイプ７ａ内のラバーブシュ５０の下方にある空気がラバーブシュ５０によって圧縮されてラバーブシュ５０の下方への移動に対する抵抗となるので、防災シェルター１が押しつぶされにくくなり、耐震性が高められる。また、天蓋部４が天井７０に当接していることにより、天井７０が落下することにより生じる衝撃荷重が天蓋部４に加えられないので、防災シェルター１の耐震性が高められ、防災シェルター１の内部の人が天井７０によって押しつぶされる可能性がさらに低くなる。また、天蓋部４の上面４ａには滑り止め部材６０が設けられていることにより、天蓋部４が天井７０上を滑らなくなるので、地震時に防災シェルター１が室内を移動しなくなる。さらに、防災シェルター１は充電式バッテリー６４によって電力が供給される間接照明６３を備えているので、停電が起こっても明かりを提供する。
【００２０】
このように、防災シェルター１は、室内の天井７０に当接する天蓋部４と、４つのピラーを有するとともに天蓋部４を載置して天蓋部４を天井７０に当接させるように高さ調節可能な躯体３とを備え、ピラー間が開口している簡単な構造であるため、安価となり、かつ室内に簡単に設置することができる。また、天蓋部４が天井７０に当接していることにより、天井７０が落下することにより生じる衝撃荷重が天蓋部４に加えられないので、防災シェルター１の耐震性を高めることができる。また、躯体３は水平方向に長さが調節可能なので、室内の任意の家具に合わせた大きさに調節することができる。また、天蓋部４の平面部４ｃには蛍光灯６３が設けられているので、天井７０に照明がある室内でも、その照明を取り除いて防災シェルター１を設置することができる。間接照明６３は充電式バッテリー６４によって電力を供給されるので、停電時にも防災シェルター１内の明かりを確保することができる。また、天蓋部４の平面部４ａには滑り止め部材６０が設けられていることにより、天蓋部４が天井７０上を滑らなくなるので、地震時に防災シェルター１が室内を移動してしまうのを防止できる。また、天蓋部４には木目調の模様が付され、ピラー７は木目調の模様が付されたカバー５で覆われているので、防災シェルター１を設置することによって室内の景観が損なわれることを防止できる。
【００２１】
尚、バー９，１２をクッション材で覆ってもよい。これにより、住居人がバー９，１２でつまずくことを回避できる。さらに、クッション材の表面に床７１と同様の模様を付してもよい。これにより、防災シェルター１を室内に設置したときの景観をさらに改善することができる。
また、躯体３は、４本のピラーを有する直方体形状に限定するものではない。ピラーが３本以上であれば、どのような形状の躯体であってもよい。
また、ピラー７には、クランプを用いて、ヒーター、ファン、照明、スピーカー等の、季節や住居人の趣向に合ったオプションを取り付けることができる。
また、ソファー２を防災シェルター１に固定したが、ソファーに限定するものではない。テーブルやベッド、こたつ等の様々な家具を防災シェルター１に固定することができる。
また、パイプ７ａの下端部７ａ１を閉じた構造にしたり、下端部７ａ１にシール部材等を設けたりして、パイプ７ａ内のラバーブシュ５０の下方にある空気を完全に密封してもよい。これにより、天蓋部４に荷重が加えられてラバーブシュ５０がパイプ７ａ内を下方に移動する際に、空気の圧縮によりラバーブシュ５０が受ける抵抗が大きくなるので、防災シェルター１をさらに押しつぶされにくくすることができる。
さらに、間接照明６３は、充電式のバッテリー６４によって電力が供給され形態に限定するものではない。間接照明６３にプラグが接続され、このプラグを室内のコンセントへ差し込むようにしてもよい。この場合、通常の生活では家庭内に供給される家庭用電力によって間接照明６３を使用すると共にバッテリー６４の充電を行い、停電時のみバッテリー６４の電力で間接照明６３を使用することができる。
【図面の簡単な説明】
【００２２】
【図１】この発明の実施の形態に係る防災シェルターの斜視図である。
【図２】この実施の形態に係る防災シェルターの躯体の斜視図である。
【図３】この実施の形態に係る防災シェルターの躯体に設けられた上部アジャスターの全体図である。
【図４】この実施の形態に係る防災シェルターの躯体に設けられたコネクターの全体図である。
【図５】この実施の形態に係る防災シェルターの躯体に設けられたアジャスターの全体図である。
【図６】この実施の形態に係る防災シェルターの躯体に設けられたピラーの正面図及び断面図である。
【図７】この実施の形態に係る防災シェルターの天蓋部の平面図、側面図及び底面図である。
【図８】この実施の形態に係る防災シェルターを家屋の室内に設置する方法を説明するための図である。
【符号の説明】
【００２３】
１  防災シェルター、３  躯体、４  天蓋部、５  カバー、７  ピラー、６０  滑り止め部材、６３  間接照明（照明）。
【図１】
0004437115.tif 000002
【図２】
0004437115.tif 000003
【図３】
0004437115.tif 000004
【図４】
0004437115.tif 000005
【図５】
0004437115.tif 000006
【図６】
0004437115.tif 000007
【図７】
0004437115.tif 000008
【図８】
0004437115.tif 000009